(57)【要約】      （修正有）【課題】家具や電気機器の筺体が地震による振動や横揺れによる倒壊を防止するスライドフロアーを提供する。【解決手段】コンクリート床面１上に接着剤、両面粘着テープ２によって、鋼板製のベースプレート３を固定し、該ベースプレート上にスライド自在のエンボスプレート５を載置し、該エンボスプレート５の下面に緩衝復元テープ４を配置して、該緩衝復元テープ４の先端部をエンボスプレート５の端部に固定する。該緩衝復元テープ４の交差部がコンクリート床面１またはベースプレート３に強固に固定されており、ベースプレート３に対するエンボスプレート５のスライド位置を元の位置に復元できるように構成され、ベースプレート３の表面がフッ素樹脂加工されており、該ベースプレート３とエンボスプレート５間にクロムモリブデン粉末が塗布されている。【選択図】図１
0003183475.tif 000002
【実用新案登録請求の範囲】
【請求項１】
コンクリート床面上に接着剤、両面粘着テープによって、鋼板製のベースプレートを固定し、該ベースプレート上にスライド自在のエンボスプレートを載置し、該エンボスプレートの下面に緩衝復元テープを配置して、該緩衝復元テープの先端部をエンボスプレートの端部に固定すると共に、該緩衝復元テープの交差部がコンクリート床面またはベースプレートに強固に固定されており、ベースプレートに対するエンボスプレートのスライド位置を元の位置に復元できるように構成されていることを特徴とするスライドフロアー。
【請求項２】
ベースプレートの表面がフッ素樹脂加工されており、該ベースプレートとエンボスプレート間にクロムモリブデン粉末が塗布されていることを特徴とする請求項１記載のスライドフロアー。
【請求項３】
地震発生時のベースプレートに対するエンボスプレートのスライドに伴って、緩衝復元テープの位置ずれが両面粘着テープによって阻止されるように構成したことを特徴とする請求項１記載のスライドフロアー。
【考案の詳細な説明】
【技術分野】
【０００１】  本考案は、室内に静置した家具や電気機器の筺体が地震による振動や横揺れによる倒壊を防止することのできるスライドフロアーに関する。
【背景技術】
【０００２】  従来、地震による振動や横揺れによる倒壊を防止することのできる種々の床面免震装置が開発されているが、その殆どが建築物や床上の電子機器に対して、免震効果を有する球体の転動方式や、受皿方式のものが多く存在する。
【先行技術文献】
【０００３】
【特許文献１】  特開平２００７−２４１２３号公報
【０００４】
【特許文献２】  特許第３０５８３６４号公報  前記せる特開平２００７−２４１２３号は、免震用基盤上に球体を回転自在とせる構造であり、また、前記せる特許３０５８３６４号は、電子機器の筐体底部にボルトを螺合させて脚体とし、その先端を曲面とし、凹面状受け皿上で滑動させるものであった。
【０００５】  しかしながら、前記せる構造のものでは、振幅の滑動範囲が限られており大きな振幅時に対応することができなくなる問題点があった。
【０００６】  また、前記せる特許３０５８３６４号は、電子機器の筐体底部にボルトを螺合させて脚体としたものであるから、脚体のフレキシビリティが無く、破損し易いものであった。
【考案の開示】
【考案が解決しようとする課題】
【０００７】  本考案のスライドフロアーは、地震による振動や余震が全方向に断続的に起こり、振幅が大きくなったときにも、筺体が倒壊しないようにすることである。
【課題を解決するための手段】
【０００８】  すなわち、本考案は地震による振動や横揺れによる筺体等の倒壊を防止することのできるスライドフロアーであって、以下のように構成されている。【０００９】  コンクリート床面上に接着剤、画面粘着テープによって、鋼板製のベースプレートを固定し、該ベースプレート上にスライド自在のエンボスプレートを載置し、該エンボスプレートの下面に緩衝復元テープを配置して、該緩衝復元テープの先端部をエンボスプレートの端部に固定すると共に、該緩衝復元テープの交差部がコンクリート床面またはベースプレートに強固に固定されており、ベースプレートに対するエンボスプレートのスライド位置を元の位置に復元できるように構成されていることを特徴とし、ベースプレートの表面がフッ素樹脂加工されており、該ベースプレートとエンボスプレート間にクロモリブデン粉末が塗布されていることを特徴とし、且つ、地震発生時のベースプレートに対するエンボスプレートのスライドに伴って、緩衝復元テープの位置ずれが両面粘着テープによって阻止されるように構成したことを特徴とのスライドフロアー。【００１０】  コンクリート床面上に接着剤、両面テープまたはボルト止めによって固定された鋼板製のベースプレートは、該ベースプレート上にスライド自在のエンボスプレートを載置し、該エンボスプレートの突起面がベースプレートの表面に当接され、ベースプレートの表面が摩擦抵抗の低い滑り面に形成されており、該エンボスプレートが地震等の振動や横揺れに対してスライドすることによって、載置された筺体等の倒壊を防止するように構成されている。【００１１】  該エンボスプレートの下面に緩衝復元テープを配置して、該緩衝復元テープの先端部をエンボスプレートの端部上に固定すると共に、該緩衝復元テープの交差部がコンクリート床面またはベースプレートに強固に固定されているため、全方向に対応できる。【００１２】  また、ベースプレートとエンボスプレートとの間にはクロムモリブデン粉末を介在させているので両者間の摩擦抵抗は極めて低く、地震等の僅かな振動や大きな横揺れに対応してエンボスプレートがスライドする。
【考案の効果】
【００１３】  本考案のスライドフロアーは、地震による振動や余震が断続的に起こり、振幅が大きくなったときでもフロアーを構成するエンボスプレート自体がスライドする構造であるから、載置されている筺体や電気機器が倒壊することがないように構成されている。【００１４】  また、エンボスプレートの縁部にゴム等からなる緩衝復元テープが固定されており、中央部がコンクリート床面またはベースプレートに強固に固定されているので、ベースプレートに対するエンボスプレートのスライド位置が大きくずれた場合でも、元の位置に復元することができる。
【図面の簡単な説明】
【００１５】
【図１】  本考案に係るスライドフロアー基本構造を示す部分平面図である。
【図２】  図１のＡ―Ａ断面図である。
【図３】  図１のＢ―Ｂ拡大断面図である。
【図４】  エンボスプレートの部分拡大断面図である。
【考案を実施するための形態】
【００１６】  以下、図面に示す本考案スライドフロアーの基本構に基づき、本考案のスライドフロアーについて具体的に説明する。
【００１７】  図１に示すように、コンクリート床面１上に接着剤、両面粘着テープ２等によって鋼板製のベースプレート３が強固にを固定されており、該ベースプレート３上にスライド自在のエンボスプレート５が載置されている。
【００１８】  図１乃至図３に示すように、エンボスプレート５の下面に緩衝復元テープ４が配置されており、該緩衝復元テープ４の先端部がエンボスプレート５の端部上に折り曲げて固定されている。
【００１９】  ベースプレート３に対するエンボスプレート５のスライド位置が、図１内の鎖線で示すようにずれても、緩衝復元テープ４の交差部がコンクリート床面に強固に固定されているので、エンボスプレート５の位置ずれが元の位置に復元できるように構成されている。
【００２０】  ベースプレート３の表面がフッ素樹脂加工されており、該ベースプレート３とエンボスプレート５間にはクロムモリブデン粉末が塗布されているので、両者間の摩擦抵抗は極めて低く、地震等の僅かな振動や横揺れに対応してもエンボスプレート５がスライドする。
【００２１】  地震発生時のベースプレート３に対するエンボスプレート５のスライドに伴って、緩衝復元テープ４の位置ずれが両面粘着テープ２に当接されるので、この作用によってもエンボスプレート５のスライドが阻止されるように構成されている。
【００２２】  図１は本考案に係るスライドフロアーの基本構造を示しているが、ここに表示されるベースプレート３、エンボスプレート５、緩衝復元テープ等の組み合わせは、フロアー自体をスライドさせる基本構造を実施するために、その組み合わせを変更することは可能である。
【００２３】  例えば、エンボスプレート５のエンボス５１を上向きにして、該エンボス５１に別体のスライドプレートを載置してスライドフロアーを構成してもよい。
【００２４】  すなわち、フロアー自体をスライドさせる基本構造を越脱しない限り、本考案の設計変更をすることができる。
【００２５】  また、本考案の基本構造に総体的に防塵シートを覆う構造としてもよく、特に防塵シートの不要な環境の場合は防塵シートを用いず、筺体等を直接エンボスプレート上に載置することも可能である。
【符号の説明】
【００２６】１    コンクリート床面
２    両面粘着シート
３    ベースプレート
４    緩衝復元テープ
５    エンボスプレート
５１  エンボス
５２  クロムモリブデン粉末塗布部
【図１】
0003183475.tif 000003
【図２】
0003183475.tif 000004
【図３】
0003183475.tif 000005
【図４】
0003183475.tif 000006